(57)【要約】【課題】  電線収容具の収容電線長さを自在に調整可能とする。【解決手段】  電線を蛇行状に折返し収容する複数状の電線収容溝を備えた扁平ケース状の電線収容具において、上記電線収容溝を形成する夫々の仕切壁に、電線収容溝溝同志が互いに連絡する電線折返し用通路を多数箇所設けたものである。【選択図】          図１
0003106967.tif 000002
【実用新案登録請求の範囲】
【請求項１】
電線を蛇行状に折返し収容する仕切壁によって区画形成された複数条の電線収容溝と、該収容溝に連なる電線導入口および導出口と、収容溝を塞ぐ着脱自在の蓋と、適宜壁面などへの取付部を備えた扁平ケース状の電線収容具において、
上記電線収容溝を形成する夫々の仕切壁に電線収容溝同志が互いに連絡するように、電線折返し用通路を多数箇所設けたことを特徴とする電線収容具。
【請求項２】
電線の収容溝が同心円状に設けられていることを特徴とする、請求項１記載の電線収容具。
【請求項３】
電線折返し用通路が収容溝の長手方向と交錯する方向に同一線上に設けられていることを特徴とする、請求項１または請求項２記載の電線収容具。
【請求項４】
扁平ケースの側縁に扁平ケース同志を並列的に連結する係合部を設けたことを特徴とする、請求項１記載の電線収容具。
【請求項５】
扁平ケースの端面同志を突き合わせて扁平ケースを直列に連結することを特徴とする、請求項１記載の電線収容具。
【考案の詳細な説明】
【技術分野】
【０００１】
本考案は、電気機器に連なる電線を蛇行状に折返し収容整理する電線収容具の技術分野に関するものである。
【背景技術】
【０００２】
電気機器に連なる電線をコンセントに接続した状態で余剰の電線を無造作に束ねて電気機器の裏側などにそのまま押し込み、放置することが多い。このような場合、埃やゴミ、湿気、鼠が被覆をかじるといった漏電火災の発生原因を多く含んでいる。
【０００３】
また、上記のように電線を束ねると、電流が多く流れる電線では過熱による火災が発生することもあり、非常に危険であり、また外観上体裁も悪い。このようなことから従来下記のものが知られている。
【非特許文献１】東リ株式会社製「アクセスデコ・ベースモール」  この非特許文献１の電線収容具は扁平ケースの内側長手方向に電線収容溝を複数本設け、電線収容溝に沿って電線を蛇行状に折返し収容後、蓋をかぶせ収容電線を隠蔽するようにしたものである。
【考案の開示】
【考案が解決しようとする課題】
【０００４】
上記非特許文献１の電線収容具は収容される電線の長さを調整することができないため、電線が長く余ってもそのまま露出するしかないという課題があった。
【０００５】
上記課題に鑑み、本発明はなされたものである。そして本発明の目的は、収容電線の長さを自在に調整可能とした、電線収容具を提供することにある。
【課題を解決するための手段】
【０００６】
前述の課題を解決するため、本発明に係わる電線収容具は、特許請求の範囲の各請求項に記載の手段を採用する。
【０００７】
即ち、請求項１によると、電線を蛇行状に折返し収容する仕切壁によって区画形成された複数条の電線収容溝と、該収容溝に連なる電線導入口および導出口と、収容溝を塞ぐ着脱自在の蓋と、適宜壁面などへの取付部を備えた扁平ケース状の電線収容具において、
上記電線収容溝を形成する夫々の仕切壁に電線収容溝同志を互いに連絡するように、電線折返し用通路を多数箇所設けたことを特徴とする。
【０００８】
この請求項１による手段では、電線の長短に応じて折返し通路を選択し、電線を過不足な蛇行状に収容整理することができる。
【０００９】
請求項２によると、請求項１記載の電線収容具において、電線の収容溝が同心円状に設けられていることを特徴とする。
【００１０】
この手段では、電線をリール状に蛇行巻回させて収容整理することができる。
【００１１】
請求項３によると、電線折返し用通路が収容溝の長手方向と交錯する方向に同一線上に設けられていることを特徴とする。
【００１２】
この手段では、電線収容溝の長さが基準化するため、電線の長さの目測が容易となる。
【００１３】
請求項４によると、電線収容具の側縁、つまり扁平ケースの側縁に扁平ケース同志を並列的に連結する係合部を設けたことを特徴とする。
【００１４】
この手段では、多数台の電気器具の配線収容を同時に行わせることがができる。
【００１５】
請求項５によると、扁平ケースの端面同志を突き合わせて扁平ケースを直列に連結することを特徴とする
【００１６】
この手段では、電線がかなり長い場合に、扁平ケースを直列に突き合わせて連結して蛇行状に収容整理することができる。
【考案の効果】
【００１７】
請求項１の本発明に係わる電線収容具は、収容溝を形成する夫々の仕切壁に電線の折返し通路を多数箇所設けてあるので、折返し通路を選択することにより電線を電線収容具内で調整させて過不足なく蛇行状に収納整理することができる効果がある。
また、請求項２として、電線収容溝が同心円状に設けてるあるので、電線をリール状に蛇行巻回させて調整し、収容整理できる効果がある。
また、請求項３として、線収容溝の長さが基準化するため、電線の長さの目測が容易となる効果がある。
また、請求項４として、扁平ケースを多数個一体に連結させるため、多数設置された機器の配線経路を１箇所に集約して整列させる効果がある。
【考案を実施するための最良の形態】
【００１８】
以下、本発明に係わる電線収容具の最良の形態を図１〜１２に基づいて説明する。
【実施例１】
【００１９】
図１に示すように、電線収容具１は両端を開口した断面上向きコ字状の細長扁平ケース１ａと、該扁平ケース１ａの上向きの開口に嵌合される蓋２とで構成される。扁平ケース１ａの底の一端には電線の導入口３が、他端には導出口４が切欠き形成されている。
【００２０】
扁平ケース１ａの内側にはその底に起立した複数列の仕切壁５によって区画形成された電線の収容溝６が複数条設けられる。（本例では３条）
【００２１】
各列の仕切壁５には、電線の折返し用通路７が所要間隔を介して多数箇所切欠き形成され、それにより各電線の収容溝６は互いに縦方向、横方向に連絡し合っている。
【００２２】
また、上記電線の折返し通路７は、本例では収容溝６の長手方向と交錯する方向に同一線上に一致して設けられているが、不一致状態のいわゆるランダム配置でも良い。
【００２３】
扁平ケース１ａの長手方向の一方の側縁にはアリ溝からなる係合部８が、他方の側縁には上記係合部８に差し込まれる凸条からなる係合部９が設けられている。
【００２４】
なお蓋２を扁平ケース１に施蓋した状態では、蓋２の側縁に設けた突起１０が扁平ケース１の内側板面の係合溝１１に嵌合係止されるようになっている。
【００２５】
次に、電線の収容方法を説明する。図３のように電子レンジの側面などに粘着テープなどで電線収容具を固定設置使用したり、図４のようにテレビ受台の側面に固定設置されるものである。
【００２６】
以下実施例の図面に基づき詳述すると、図５のように壁面コンセントが電気器具に対し遠くにあって、而も電線収容具１の全長の３倍の長さの電線を収容する場合、電線は従来の配線収容具と同様に、電線導入口に臨んだ２箇所の溝壁端面にて折返され、Ｓ字状に蛇行収容される。
【００２７】
また、図６のように壁面コンセントが電気器具に対し遠くにあって、而も電線収容具１の全長の２倍の長さの電線を収容する場合、電線は電線導入口に臨んだ１つ目の折返し通路の端面にて折返された後、中間の折返し通路７の２つ目の折返し通路の端面にて折返され、蛇行収容される。
【００２８】
また、図７のように電気機器と壁面コンセントが比較的近くて、電線収容具１の全長の２倍の長さの電線が収容される場合、電線は電線導入口３に臨んだ仕切壁端面にて折返された後、仕切壁の適当折返し通路を通じて隣の溝に連絡され、蛇行収容される。
【００２９】
図８は、電線収容具１を並列に積み重ね使用する例を示し、この場合アリ溝からなる係合部８に次の電線収容具１の係合部９を図９のように差込むことにより各電線収容具１を多段に連結使用することができる。
【００３０】
上記多段に連結することにより、図１０に示すように多数の台数のパーソナルコンピュータ（ＰＣと略す）を設置使用するとき、その電線を上記の手順で連結した各収容具に収容して、机の下などに設置すれば、従来乱雑に錯綜していた配線群を分かり易く整然と整列させることができる。このとき、ＰＣ筐体、電線収容具、壁コンセントに夫々接続系統毎に色分けしたラベルを夫々貼付しておけば、間違えて稼働中ＰＣのコンセントプラグを引き抜くなどの事故を未然に防止できる。
【００３１】
図１１は電線収容具を直列に接続した場合であって、電線収容具の扁平ケース１の端面を突き合わせて、突き合わせ部を適宜の接続部材Ｋで連結するようにしたものである。この例では長尺の電線を蛇行状に収納整理することが可能となる。
【実施例２】
【００３２】
請求項２のように、電線の収容溝を同心円状に設けることができる。
【００３３】
即ち、図１２のように仕切壁５によって区画形成された収容溝６の条数を４本（周）、収容溝６を９０°等配に分断した例である。電線導入口３より導入した電線を収容溝６で蛇行の後、導出口４より取り出している。
【００３４】
上記手順で電線収容後、図示しない蓋と扁平ケース１の開口部に嵌合し、電線収容部は覆われる。
【００３５】
この実施の形態では、電線の蛇行経路を変えることにより、電線の取り出し方向を１８０°、左右９０°方向に取り出し可能である。
【００３６】
また図示しないが、扁平ケース１の最外周から同心円状の電線収容溝に達する切り欠きを設ければ、溝面裏側へ電線を連絡することができる。
【図面の簡単な説明】
【００３７】
【図１】本発明に係わる電線収容具の実施の形態を示す全体の斜視図である。
【図２】図１の施蓋状態の一部切断正面図である。
【図３】電子レンジに電線収容具を装着した説明図。
【図４】テレビ台に電線収容具を装着した説明図。
【図５】電線長さの異なる場合の状態の第１の説明図。
【図６】電線長さの異なる場合の状態の第２の説明図。
【図７】電線長さの異なる場合の状態の第３の説明図。
【図８】電線収容具を並列に接続した状態の正面図。
【図９】図８の断面図。
【図１０】多数のパーソナルコンピュータに電線収容具を夫々接続した説明図。
【図１１】電線収容具を直列に連結した斜面図。
【図１２】第２実施例の正面図（円形例）。
【符号の説明】
【００３８】
１    電線収容具
１ａ  扁平ケース    
２    蓋    
３    電線導入口
４    電線導出口
５    仕切壁
６    電線収容溝
７    折返し用通路
８    アリ溝からなる係合部
９    凸条からなる係合部
１０  突起
１１  係合溝
【図１】
0003106967.tif 000003
【図２】
0003106967.tif 000004
【図３】
0003106967.tif 000005
【図４】
0003106967.tif 000006
【図５】
0003106967.tif 000007
【図６】
0003106967.tif 000008
【図７】
0003106967.tif 000009
【図８】
0003106967.tif 000010
【図９】
0003106967.tif 000011
【図１０】
0003106967.tif 000012
【図１１】
0003106967.tif 000013
【図１２】
0003106967.tif 000014